(57)【要約】      （修正有）【課題】無停電の効果を達成することができる無停電照明装置を提供する。【解決手段】電源検出装置１０と、電力駆動モジュール２０と、少なくとも一つの出力モジュール２５とからなる。電源検出装置は、室内電力線に連結されるとともに、室内電力線の電圧状態を検出する。電圧状態が正常の時は、室内電力線の電力供給が正常であることを表す。この時、出力モジュールは、少なくとも一組の照明装置３０に接続され、リモートコントロール装置２６を介して出力モジュールの電源の通電を制御することができるとともに、少なくとも一組の照明装置の通電数量或いはその他の作動を制御することができる。電圧状態が異常の時は、電力駆動モジュール内に設けられた無線受信器が、電源検出装置内の無線発射器１４の異常電力信号を受信する。このようにして、停電の時でも、電力の出力を行うことで、照明装置の一つの作動を維持することができる。【選択図】図２
0003174501.tif 000002
【実用新案登録請求の範囲】
【請求項１】
電源検出装置と、電力供給素子と、電力駆動モジュールとからなる無停電照明装置であって、
前記電源検出装置は、室内電力線に連結されるとともに、前記電源検出装置は、電力信号を発射する無線発射器に連結され、
前記電力供給素子は、室内電力線の電圧が異常信号の状態でも前記電源検出装置及び前記無線発射器が電力信号を発することができるのに十分な電気エネルギーを蓄え、
前記電力駆動モジュールには、前記無線発射器から発せられる電力信号を受信する無線受信器が設けられるとともに、前記電力駆動モジュールには、少なくとも一つの出力モジュールが設けられることを特徴とする、無停電照明装置。
【請求項２】
前記電源検出装置は、電力検出ユニットと、制御ユニットとを備え、
前記電力検出ユニットは、前記室内電力線の電力信号状態を検出し、
前記制御ユニットは、前記電力検出ユニットから生じた電圧異常信号を受信して、制御信号を前記無線発射器へ発し、
前記無線発射器から発する電力信号の範囲には、少なくとも一つの電力駆動モジュール内の無線受信器が含まれ、
前記無線受信器には、リモートコントロール装置が無線接続されることを特徴とする、請求項１に記載の無停電照明装置。
【請求項３】
前記電力駆動モジュールには、通電状態を選択できるスイッチが接続され、前記電力駆動モジュールは、駆動モジュールと、充電装置とを備え、
駆動モジュールは、無線受信器に電気的に接続されて電気供給装置を起動させるとともに、電気供給装置から生じた電気エネルギーを照明装置の一つに送り、
前記照明装置は、前記出力モジュールに電気的に接続され、
充電装置は、電気供給装置と電気回路を形成し、それにより、電気供給装置の内部電力を維持することを特徴とする、請求項１に記載の無停電照明装置。
【考案の詳細な説明】
【技術分野】
【０００１】
本考案は無停電照明装置に関し、特に電圧が正常な時に、少なくとも一つの出力モジュールに電気的に接続することで少なくとも一組の照明装置を作動させ、停電の時でも、照明装置の内の一つの作動を維持し、無停電の効果を達成することができる無停電照明装置に関する。
【背景技術】
【０００２】
図１を参照する。図１は、従来の無停電照明装置のブロックチャートである。図から分かるように、無停電照明装置は、電力線４１に電力信号があるかないかを検出し、無線方式で伝送する。その内、無停電照明装置は、電源検出装置４０と、電力駆動モジュール４２とからなる。電源検出装置４０内には、電力信号を発する無線発射器４０１が設けられ、電力駆動モジュール４２内には、無線発射器４０１から発せられた電力信号を受信する無線受信器４２１が設けられ、無線発射器４０１は、検出した電力信号の結果を無線受信器４２１に送る。無線発射器４０１は、一定の伝送範囲内で、無線受信器４２１に電力信号を供給し、無線受信器４２１が電力信号を受信できない時、無線受信器４２１と接続された電力駆動モジュール４２は、電気供給装置を起動させて電力を生じさせ、それにより、照明装置を稼働させ続けることができる。上述の構造により、一般の電気供給システムの中で、元からある稼働方式を維持したまま、停電した時には電力出力を行って照明装置の稼働を維持することができる。
【０００３】
しかしながら、上述した無停電照明装置を使用すると、以下の問題と欠点が存在するため、改善が待たれている。この技術は、電力駆動モジュール４２に無線通知する機能を備えているものの、環境或いはその他の要素の影響により、無線発射器４０１が無線受信器４２１に信号を発している間に、信号が受信漏れする問題が生じやすく、無線発射器４０１が信号の一つを受信できなかったことにより、電力駆動モジュール１２を起動させて照明装置を稼働させてしまい、停電していない状態の時に照明装置を起動させてしまうという問題が起こる。
【０００４】
それ以外にも、従来の無停電照明装置は、一つの照明装置に対して通電させて作動させることができるだけであり、照明装置の通電方式を制御できない。
【考案の概要】
【考案が解決しようとする課題】
【０００５】
本考案は、電圧が正常な時に、少なくとも一つの出力モジュールに電気的に接続することで少なくとも一組の照明装置を作動させ、停電の時でも、照明装置の内の一つの作動を維持し、無停電の効果を達成することができる無停電照明装置を提供することを目的とする。
【課題を解決するための手段】
【０００６】
上述の目的を達成するために、本考案による無停電照明装置は、主に、電源検出装置と、電力供給素子と、電力駆動モジュールとからなる。前記電源検出装置は、室内電力線に連結されるとともに、前記電源検出装置は、電力信号を発射する無線発射器に連結され、
前記電力供給素子は、室内電力線の電圧が異常信号の状態でも前記電源検出装置及び前記無線発射器が電力信号を発することができるのに十分な電気エネルギーを蓄える。前記電力駆動モジュールには、前記無線発射器から発せられる電力信号を受信する無線受信器が設けられるとともに、前記電力駆動モジュールには、少なくとも一つの出力モジュールが設けられる。
【考案の効果】
【０００７】
電源検出装置は室内電力線に連結されるとともに、室内電力線の電圧状態を検出する。電圧状態が正常の時は、室内電力線の電力供給が正常であることを表す。この時、出力モジュールは、少なくとも一組の照明装置に接続され、リモートコントロール装置を介して出力モジュールの電源の通電を制御することができるとともに、少なくとも一組の照明装置の通電数量或いはその他の作動を制御することができる。電圧状態が異常の時は、電力駆動モジュール内に設けられた無線受信器が、電源検出装置内の無線発射器の異常電力信号を受信する。このようにして、停電の時でも、電力の出力を行うことで、照明装置の一つの作動を維持することができる。
【図面の簡単な説明】
【０００８】
【図１】従来の無停電照明装置のブロックチャートである。
【図２】本考案の実施例１のブロックチャートである。
【図３】本考案を一般的な室内電力線に使用するときのフローチャートである。
【図４】本考案が室内電力線の電気供給を停止する時のフローチャートである。
【図５】本考案の実施例２の使用状態を示した概略図である。
【考案を実施するための形態】
【０００９】
（実施例１）
図２を参照する。図２は、本考案の実施例１のブロックチャートである。図から分かるように、本考案の無停電照明装置は、室内電力線１１に電力信号があるかどうかを検出するとともに、電力信号を検出しなかった時に、無線電力信号を発して電力駆動モジュール２０を起動するかどうか制御する。本考案の無停電照明装置は、電源検出装置１０と、電力駆動モジュール２０と、からなる。
【００１０】
電源検出装置１０は、室内電力線１１に連結され、その内部には、電力信号を発射する無線発射器１４が設けられる。その内、電源検出装置１０は、室内電力線１１と接続される交流変圧器１２を備え、交流変圧器１２は、室内電力線１１の電力信号状態を検出する電力検出ユニット１３と、電力検出ユニット１３から生じた電圧異常信号を受信するとともに起動信号を無線発射器１４に出力する制御ユニット１５と、に電気的に接続される。また、電源検出装置１０は、電力供給素子１６内に蓄えられた電気エネルギーの供給を受ける。この電気エネルギーによって、室内電力線１１が電圧異常信号状態にある時でも無線発射器１４は無線電力信号を発することができる。また、この無線電力信号は、無線発射器１４から、電力駆動モジュール２０に設けられた無線受信器２１へと伝送される。
【００１１】
また、電力駆動モジュール２０には、少なくとも一つの出力モジュール２５が設けられ、出力モジュール２５は少なくとも一つの照明装置３０に電気的に接続される。なお、電力駆動モジュール２０は、駆動モジュール２３と、充電装置２４とを備える。駆動モジュール２３は、無線受信器２１に電気的に接続されて電気供給装置２２を起動させ、電気供給装置２２から生じた電気エネルギーを照明装置３０の一つに送る。充電装置２４は、電気供給装置２２と電気回路を形成し、それにより、電気供給装置２２の内部電力を維持する。
【００１２】
また、電力駆動モジュール２０は、通電状態を選択できるスイッチ３１に電気的に接続され、無線発射器１４から出力される電力信号の範囲には、電力駆動モジュール２０内の少なくとも一つの無線受信器２１が含まれる。
【００１３】
上述の構造と組合せによる本考案の使用作動状況を以下に説明する。図３と図４を参照する。図３は、本考案を一般的な室内電力線に使用するときのフローチャートであり、図４は、本考案が室内電力線の電気供給を停止する時のフローチャートである。図から分かるように、電源検出装置１０は、電力検出ユニット１３を介して室内電力線１１の電力信号状態を検出する。室内電力線１１の電圧が正常の時、即ち、室内電力線１１の電力供給が正常の時は、電力検出ユニット１３はいかなる異常信号も発しない。従って、制御ユニット１５は作動せず、無線発射器１４もいかなる電力異常信号も発しない（しかしながら、電力が回復して最初に通電する時は、電力回復正常信号を発する）。それにより、照明装置３０の内の一つに連結された電力駆動モジュール２０も緊急電力供給機能を作動させず、出力モジュール２５は交流電源を少なくとも一つの照明装置３０に供給し作動させる。また、操作者は、リモートコントロール装置２６を操作することにより、制御信号を無線受信器２１に発せさせることができる。無線受信器２１が制御信号を受信した後、発せられた制御信号により、出力モジュール２５の一端に連結された照明装置３０の通電数量或いはその他の作動（例えば、照明装置３０の明るさの調整等であるが、ここでは、その作動方式を限定しないものとする。）が制御される。また、それと同時に、充電装置２４を起動させ、充電装置２４により電気供給装置２２内部の電力を高め且つ維持させる。反対に、スイッチ３１がオフの状態の時は、充電装置２４を起動させず、電気供給装置２２に対する充電は行われない。
【００１４】
反対に、室内電力線１１の電圧に異常な状態が生じるか、或いは、電力を供給できない時は、電力検出ユニット１３が電圧異常信号を制御ユニット１５へと出力し、制御ユニット１５は、制御信号を無線発射器１４へ出力する。この時、室内電力線１１は、正常に電力を供給することができないが、電力供給素子１６（コンデサを例にとる）内に蓄えられた電気エネルギーによって、室内電力線１１の電圧が異常状態であっても、無線発射器１４は電力異常信号を一定時間発し続けることができる。また、電力信号を発射できる時間の長さは、電力供給素子１６の設計によって決まる。
【００１５】
照明装置３０に接続される電力駆動モジュール２０が無線受信器２１を介して電力異常信号を受信した時、駆動モジュール２３によって電気供給装置２２が起動される。そして、電気供給装置２２内に蓄えられた電力によって照明装置３０に対して電気供給を行い、作動を維持することができる。
【００１６】
このように、上述の構造は、一般の電気供給システム内で元から存在する稼働方式を維持しながら、それと同時に、停電の時にも、電力の出力を保持し、照明装置３０の作動を維持することができる。
【００１７】
（実施例２）
図５を参照する。図５は、本考案の実施例２の使用状態を示した概略図である。電力供給素子１６ａには充電電池を例にとって説明を行う。少なくとも一組の照明装置３０ａは、出力モジュール２５ａに電気的に接続されるとともに、出力モジュール２５ａが設けられた電力駆動モジュール２０ａは、通電状態を選択できるスイッチ３１ａに電気的に接続され、室内電力線１１ａの電圧に異常状態が発生した時、或いは電力がが供給できなくなった時、電力検出ユニット１３ａが電圧異常信号を制御ユニット１５ａへ出力し、制御ユニット１５ａが制御信号を無線発射器１４ａへ出力する。室内電力線１１ａは電力を供給することができないため、電力供給素子１６ａ内に蓄えられた電気エネルギーによって、室内電力線１１ａの電圧が異常状態にあっても無線発射器１４ａは電力異常信号を発することができる。また、電力信号を発することができる時間の長さは、電力供給素子１６ａの設計によって決まる。
【００１８】
全ての図を参照する。本考案を使用すると、従来の技術と比較して、以下の利点が生じる。
【００１９】
一、電圧状態が正常の時、少なくとも一つの出力モジュール２５に電気的に接続されることにより少なくとも一組の照明装置３０の電源が通電するとともに、リモートコントロール装置２６を操作することにより、少なくとも一つの出力モジュール２５の一端に接続された少なくとも一組の照明装置３０の通電数量或いはその他の作動を制御することができる。
二、停電状態の時でも、無線発射器１４は、電力供給素子１６の電気供給を介して作動を行うことができ、停電によって作動ができない問題が生じることがない。
三、信号の受信漏れが生じることによる照明装置３０の誤作動を大幅に減らすことができ、また、これに類する問題を避けることができる。
四、電力がある状態では、無線発射器は信号を無線受信器に発し続ける必要がないため（電力が回復して最初に通電する時に電力回復正常信号を発する場合は除く）、電力の消耗を抑えることができる。
五、元からの電気供給システムを維持することができるとともに、停電しないシステムを構築することができる。
六、元からの室内電力の配線を維持することができるとともに、停電しないシステムを構築することができる。
七、無線信号を送ることで、停電の時に各前記電力駆動モジュール２０に通知し、少なくとも一つの照明装置３０を作動することができる。
【符号の説明】
【００２０】
１０            電源検出装置    
１１、１１ａ    室内電力線    
１２            交流変圧器    
１３、１３ａ    電力検出ユニット    
１４、１４ａ    無線発射器    
１５ａ          制御ユニット    
１６ａ          電力供給素子    
２０、２０ａ    電力駆動モジュール    
２１            無線受信器    
２２            電気供給装置    
２３            駆動モジュール    
２４            充電装置    
２５、２５ａ    出力モジュール  
２６            リモートコントロール装置    
３０、３０ａ    照明装置    
３１、３１ａ    スイッチ    
４０            電源検出装置    
４０１          無線発射器    
４１            電力線    
４２            電力駆動モジュール    
４２１          無線受信器    
【図１】
0003174501.tif 000003
【図２】
0003174501.tif 000004
【図３】
0003174501.tif 000005
【図４】
0003174501.tif 000006
【図５】
0003174501.tif 000007